(57)【要約】【課題】偏光サングラスとの併用を前提とし、偏光サングラスの持つ偏光機能を低下させてしまうことなく良好な視界を得ることのできる、新規な偏光サングラスの機能維持構造を具えた帽子を開発することを技術課題とした。【解決手段】少なくとも頭部に装着される部位と、この部位から装着者の前方に張り出すひさし５とを具えた帽子１において、前記ひさし５には、装着者を側面から見た場合に、装着者が掛けたサングラスＧのレンズを覆う側方遮光部７が他の側縁部位に比べて張り出し状態に形成されていることを特徴として成るものであり、アングラーが帽子１を装着した状態で側方光を遮断することができるため、偏光サングラスＧの持つ偏光機能を低下させてしまうことがなく、フィッシングポイントの良好な視界を得ることができ、且つ周辺視野も維持することができる。【選択図】      図２
2004232122.tif 000002
【特許請求の範囲】
【請求項１】
少なくとも頭部に装着される部位と、この部位から装着者の前方に張り出すひさしとを具えた帽子において、前記ひさしには、装着者を側面から見た場合に、装着者が掛けたサングラスのレンズを覆う側方遮光部が他の側縁部位に比べて張り出し状態に形成されていることを特徴とする偏光サングラスの機能維持構造を具えた帽子。
【請求項２】
前記ひさしは、正面からみた場合にサングラスのレンズを被覆しないような曲線形状を有するものであることを特徴とする請求項１記載の偏光サングラスの機能維持構造を具えた帽子。
【請求項３】
前記ひさしは、前記曲線形状を維持するための肉厚縁加工が成されたものであることを特徴とする請求項１または２記載の偏光サングラスの機能維持構造を具えた帽子。
【発明の詳細な説明】
【０００１】
【発明の属する技術分野】
本発明は例えばバスフィッシング等に用いることが好適な帽子に関するものであり、特に併せて用いられる偏光サングラスの持つ偏光機能を低下させてしまうことのない偏光サングラスの機能維持構造を具えた帽子に係るものである。
【０００２】
【発明の背景】
湖沼等におけるルアーフィッシングや渓流釣り等では、水面下の状況を見通すために偏光サングラスが用いられることが多い。
この偏光サングラスに使われる偏光レンズは、二枚のレンズの間に偏光膜を挟み込むことにより、縦方向に振幅を有する眩しい光をカットするように構成され、水面で反射した光を遮断して乱反射による光のギラつきを抑える効果があるものである。
しかしながら前記偏光膜は、側方からの光（側方光）に対しては機能しないため、例えば側方から太陽光がレンズに入った場合には乱反射を起こしてしまい、著しく視界が悪くなってしまうものである。特に朝夕といった釣果の期待できる時間帯は太陽光が斜光となり、視界低下も著しいものとなってしまう。
このためアングラーは、図６に示すようなひさし５′の付いた帽子１′を傾げたり、深く被ることにより、前記側方光が偏光レンズＬに入り込まないようにして視界の維持を図る等していたが、もとより前記帽子１′は偏光サングラスＧとの併用を考慮して製作されたものではないため、側方光の遮断も充分ではない上、全体の視界を不必要に遮断してしまうという不都合があった。
【０００３】
【解決を試みた技術課題】
本発明はこのような背景を認識してなされたものであり、偏光サングラスとの併用を前提とし、偏光サングラスの持つ偏光機能を低下させてしまうことなく良好な視界を得ることのできる、新規な偏光サングラスの機能維持構造を具えた帽子を開発することを技術課題としたものである。
【０００４】
【課題を解決するための手段】
すなわち請求項１記載の偏光サングラスの機能維持構造を具えた帽子は、少なくとも頭部に装着される部位と、この部位から装着者の前方に張り出すひさしとを具えた帽子において、前記ひさしには、装着者を側面から見た場合に、装着者が掛けたサングラスのレンズを覆う側方遮光部が他の側縁部位に比べて張り出し状態に形成されていることを特徴として成るものである。
この発明によれば、アングラーが帽子を装着した状態で側方光を遮断することができるため、偏光サングラスの持つ偏光機能を低下させてしまうことがなく、フィッシングポイントの良好な視界を得ることができ、且つ周辺視野も維持することができる。
【０００５】
また請求項２記載の偏光サングラスの機能維持構造を具えた帽子は、前記要件に加え、前記ひさしは、正面からみた場合にサングラスのレンズを被覆しないような曲線形状を有するものであることを特徴として成るものである。
この発明によれば、装着者の視界を狭めてしまうことなく良好な視界を得ることができる。
【０００６】
更にまた請求項３記載の偏光サングラスの機能維持構造を具えた帽子は、前記要件に加え、前記ひさしは、前記曲線形状を維持するための肉厚縁加工が成されたものであることを特徴として成るものである。
この発明によれば、ひさしの変形を防いで長期にわたって良好な視界を得ることができる。
そしてこれら各請求項記載の発明の構成を手段として前記課題の解決が図られる。
【０００７】
【発明の実施の形態】
以下本発明の偏光サングラスの機能維持構造を具えた帽子について図面に基づいて具体的に説明する。
本発明の帽子１は図２に示すように、少なくとも頭部に装着される腰２と、この腰２から装着者の前方に張り出すひさし５とを具えて成るものであって、この実施の形態では一例としてサンバイザーと呼ばれる形態を採用した。もちろん帽子１の形態としてはこの他にも、図５に示すように装着者の頭頂部を覆うれんげ６を具えたキャップと呼ばれる形態等種々の形態が採られるものである。
なお前記腰３の内側には、頭部と直接接触するすべり３が取り付けられるものであり、このすべり３は適宜の通気性素材によって形成されるものである。
【０００８】
そして前記ひさし５は適宜の素材から成る芯材の両面を生地で被覆した状態で縫合されて成るものであり、図２（ａ）に示すように装着者たるアングラーＡを側面から見た場合に、アングラーＡが掛けた偏光サングラスＧの偏光レンズＬを覆う側方遮光部７が、他の側縁部位に比べて張り出した状態に形成されている。
また前記ひさし５は、図２（ｂ）に示すように正面からみた場合に偏光サングラスＧの偏光レンズＬを被覆しないような曲線形状を有するように腰２に縫合されるものであり、更にこの曲線形状を維持するために縁８の部分に硬質ウレタン等を入れて肉厚となるように加工した。
なお本発明の帽子１をアングラーＡが装着した状態は、図６中の仮想線でも示した。
【０００９】
因みに図３は湾曲していない状態のひさし５を示す平面図であって、その両側部に側方遮光部７が形成されるものであり、この部分の縁８は、仮想線で示した一般的な帽子の縁８′よりも側方に張り出すように形成されている。
【００１０】
本発明の帽子１は一例として上述したように構成されるものであり、以下このものの使用態様について説明する。
まずアングラーＡは、偏光サングラスＧを装着した状態で帽子１を装着するものであり、このとき図２（ａ）に示すように、アングラーＡを側面から見た場合に、偏光サングラスＧの偏光レンズＬは、側方遮光部７によって被覆されるため、側方光が偏光レンズＬに入り込んでしまうことを防止するものである。
このため、従来は特に朝夕といった釣果の期待できる時間帯は太陽光が斜光となり、その反射光が偏光レンズＬに入って乱反射を起こしてしまい、著しく視界が悪くなってしまっていたが、このような事態を回避することができるものである。
因みに図１に示すように、裸眼視界Ｖ１では、水面での光の散乱によって水中の様子はほとんど視認することができないが、偏光レンズＬを通した矯正視界Ｖ２では水面がギラつくことなく、魚体Ｆ、ルアーＲ、枯れ木等のストラクチャＳをはっきりと視認することができるものである。
【００１１】
【発明の効果】
本発明の偏光サングラスＧの機能維持構造を具えた帽子１によれば、アングラーＡが帽子１を装着した状態で側方光を遮断することができるため、偏光サングラスＧの持つ偏光機能を低下させてしまうことがなく、良好な視界を得ることができる。またアングラーＡの視界を狭めてしまうことなく良好な視界を得ることができる。更にまたひさし５の変形を防いで長期にわたって良好な視界を得ることができる。
【図面の簡単な説明】
【図１】本発明の帽子を装着したアングラー及びアングラーが見た水中の様子を示す斜視図である。
【図２】偏光サングラスを掛けたアングラーが帽子を装着した状態を示す側面図及び正面図である。
【図３】湾曲していない状態のひさしを示す平面図である。
【図４】帽子を示す平面図である。
【図５】キャップの形態を採った帽子を示す側面図である。
【図６】偏光サングラスを掛けたアングラーが既存の帽子を装着した状態を示す側面図及び正面図である。
【符号の説明】
１    帽子
２    腰
３    すべり
５    ひさし
６    れんげ
７    側方斜光部
８    縁
Ａ    アングラー
Ｆ    魚体
Ｇ    偏光サングラス
Ｌ    偏光レンズ
Ｒ    ルアー
Ｓ    ストラクチャ
Ｖ１  裸眼視界
Ｖ２  矯正視界
【図１】
2004232122.tif 000003
【図２】
2004232122.tif 000004
【図３】
2004232122.tif 000005
【図４】
2004232122.tif 000006
【図５】
2004232122.tif 000007
【図６】
2004232122.tif 000008